(57)【要約】【課題】今や各家庭にブロードバンドにより常時インターネットに接続されている高性能なパソコンが1台以上ある社会となっているが、各家庭の食品や所有物の情報がこのパソコンで管理されておらず、食品や所有物の有効的活用がされておらず、保管場所、検索時間で無駄が発生し経済的に大きな損失が発生している。また、家庭の経済的無駄の排除に家計簿を付けることが有効であることがしられているが、前述のように高性能なパソコンが普及しているにもかかわらず家計簿の作成、継続に相当な努力を必要とし、成功している家庭は少ない。【解決手段】情報処理機能、ネットワーク機能、赤外線通信機能、数点のＵＳＢ入力ポートを持った薄型表示器において、家庭の食品や所有物の管理および家計簿を作成する情報処理表示器（ホームモニター）としての処理機能をもたせ、赤外線通信機能を持った携帯電話を、この情報処理表示器への購入商品情報入力として使用する。【選択図】図１
2005202457.tif 000002
【特許請求の範囲】
【請求項１】
購入商品情報が書き込まれた携帯電話およびリモートコントローラーと送受信する為の赤外線通信手段と、食品を使用した場合の残量自動設定の為の電子はかりの軽量データーを取り込むＵＳＢポートによる通信手段と、食品および所有物の自動選択の為のＩＣタグのデーターを取り込むＵＳＢポートによる通信手段と、ホームネットワークの為のネットワーク通信手段と、ＯＳやアプリケーションプログラムおよび管理情報を記憶する為の記憶手段と、ＯＳやアプリケーションプログラムのインストールや管理データーのバックアップの為の補助記憶手段と、管理データーや家計簿データーの表示手段と、管理データーの情報処理手段を持つ事により、食品と所有物を管理することを特徴とする情報処理表示方式
【請求項２】
請求項1に記した携帯電話への購入商品情報入力は、店で購入した食品や衣類などの購入商品情報を、店のＰＯＳシステムからキャッシュレジスターを介して、赤外線通信機能により携帯電話へ書き込みされることを特徴とする情報処理表示方式
【請求項３】
請求項1に記したＩＣタグリーダーにより、食品（またはトレー）や所有物に着脱式のＩＣタグを取り付け、情報処理表示器でＩＣタグと食品や所有物をデーター的に関連付けしておくことにより、食品や所有物の自動選択を可能としたことを特徴とする情報処理表示方式
【請求項４】
請求項1に記した電子ハカリにより、その食品の使用後に電子ハカリで残量を計量することにより、食品の残量の自動設定を可能としたことを特徴とする情報処理表示方式
【発明の詳細な説明】
【技術分野】
【０００１】
本発明は、家庭内の食品や所有物を管理する情報処理家電機器に属する。
【背景技術】
【０００２】
今や各家庭にブロードバンドにより常時インターネットに接続されている高性能なパソコンが1台以上ある社会となっているが、各家庭の食品や所有物の情報がこのパソコンで管理されておらず、食品や所有物の有効的活用がされておらず、保管場所および検索時間に無駄が発生している。
【０００３】
また、家計の無駄の排除に家計簿を付けることが有効であることがしられているが、前述のように高性能なパソコンが普及しているにもかかわらず家計簿の作成、継続に相当な努力を必要とし、成功している家庭は少ない。
【非特許文献１】上坂  顕（著）「見てわかるコードレスネットワーク入門−無線ＬＡＮから赤外線通信まで」
【非特許文献２】ＮＴＴデータ・ユビキタス研究会（著）「ＩＣタグってなんだ？−ユビキタス社会を実現するＲＦＩＤ技術テクノジーを知る」
【発明の開示】
【発明が解決しようとする課題】
【０００４】
コンピュータの特徴は、入力された大量のデーターを瞬時に処理しどのような形態にも加工し分かりやすく使用者に示すことにある。このコンピュータから効果的な結果を得るには最新のデーターを常に入力してやる必要がある。１ヶ月間に購入される各家庭の食品や所有物は相当な点数になり、さらに効果的なアウトプットを得る為には、個々に１０個前後の情報を入力しなければならない。ここに前項で触れた高性能コンピュータが活用されない原因がある。
【課題を解決するための手段】
【０００５】
本発明では、上述の課題を解決するために、次のように構成している。
【０００６】
すなわち、請求項１の購入商品情報が書き込まれた携帯電話およびリモートコントローラーと送受信する為の赤外線通信手段と、食品を使用した場合の残量自動設定の為の電子はかりの軽量データーを取り込むＵＳＢポートによる通信手段と、食品および所有物の自動選択の為のＩＣタグのデーターを取り込むＵＳＢポートによる通信手段と、ホームネットワークの為のネットワーク通信手段と、ＯＳやアプリケーションプログラムおよび管理情報を記憶する為の記憶手段と、ＯＳやアプリケーションプログラムのインストールや管理データーのバックアップの為の補助記憶手段と、管理データーや家計簿データーの表示手段と、管理データーの情報処理手段を持つ。
【０００７】
請求項２の請求項1に記した携帯電話への購入商品情報入力は、店で購入した食品や衣類などの購入商品情報を、店のＰＯＳシステムからキャッシュレジスターを介して、赤外線通信機能により携帯電話へ書き込みされる。
【０００８】
請求項３の請求項1に記したＩＣタグリーダーにより、食品（またはトレー）や所有物に着脱式のＩＣタグを取り付け、情報処理表示器でＩＣタグと食品や所有物をデーター的に関連付けしておく。
【０００９】
請求項４の請求項1に記した電子ハカリにより、その食品の使用後に電子ハカリで残量を計量する。
【発明の効果】
【００１０】
請求項１の購入商品情報が書き込まれた携帯電話およびリモートコントローラーと送受信する為の赤外線通信手段と、食品を使用した場合の残量自動設定の為の電子はかりの軽量データーを取り込むＵＳＢポートによる通信手段と、食品および所有物の自動選択の為のＩＣタグのデーターを取り込むＵＳＢポートによる通信手段と、ホームネットワークの為のネットワーク通信手段と、ＯＳやアプリケーションプログラムおよび管理情報を記憶する為の記憶手段と、ＯＳやアプリケーションプログラムのインストールや管理データーのバックアップの為の補助記憶手段と、管理データーや家計簿データーの表示手段と、管理データーの情報処理手段を持つ事により、情報入力作業の負担を軽減し、情報処理の効果を享受することができる。
【００１１】
請求項２の請求項1に記した携帯電話への購入商品情報入力は、店で購入した食品や衣類などの購入商品情報を、店のＰＯＳシステムからキャッシュレジスターを介して、赤外線通信機能により携帯電話へ書き込みされることにより、生産者から消費者にその食品や衣類などを管理するのに有効な情報を渡すことが出来る。
【００１２】
請求項３の請求項1に記したＩＣタグリーダーにより、食品（またはトレー）や所有物に着脱式のＩＣタグを取り付け、情報処理表示器でＩＣタグと食品や所有物をデーター的に関連付けしておくことにより、食品や所有物の自動選択を可能としている。
【００１３】
請求項４の請求項1に記した電子ハカリにより、その食品の使用後に電子ハカリで残量を計量することにより、食品の残量の自動設定を可能としている。
【発明を実施するための最良の形態】
【００１４】
図１は、１．情報処理表示器（ホームモニター）、２．赤外線通信機能付き携帯電話、３．ＩＣタグリーダー、４．電子ハカリ、５．リモートコントロール、６．ネットワーク接続線で構成される、家庭の食品や所有物の管理および家計簿を作成する情報処理表示方式の実施形態です。
【００１５】
図２は、店で購入した食品や所有物などの購入商品情報を、店のＰＯＳシステムから７．キャッシュレジスターを介して、赤外線通信機能により２．携帯電話へ書き込みされている情報処理表示方式の実施形態です。
【実施例１】
【００１６】
（１）食品管理
家庭内の食品全てを管理します。冷蔵庫に収納した食品とその他に収納した食品全てが登録され
１）その賞味期限や有効期限を監視し食品の安全を監視します。
２）現在ある食品でできる料理名を必要食品名と現在量、使用量、残量と共に表示します。
３）２項以外の料理名を必要食品名と現在量、使用量、買い足し量と共に表示します。
必要食品名の内、足りている食品は買い足し量ではなく残量が表示されます。
上記に上げた機能は、いずれも便利な機能です、しかし次の課題をクリヤーした場合です。
（１．１）クリヤーすべき課題
【００１７】
１）購入した食品のホームモニターへの登録方法
２）食品を使用した場合の残量の入力方法
（１．２）課題を解決する手段
【００１８】
（１．３）購入した食品のホームモニターへの登録方法
【００１９】
購入により手に入れた食品の情報を、タグを見てキーボードまたはその他の入力方法により登録する方法は、現実的ではありません。また食品についているタグのバーコードを読み取る方法もありますがこれも現実的ではありません。それでは如何に簡単に食品の情報を入力するか？  ここにこの発明の特徴があります。
（１．４）携帯電話の利用
【００２０】
赤外線通信機能を利用して、精算時にお店のＰＯＳシステムからキャッシュレジスターを介して携帯電話に食品の情報が書き込まれます。
（１．５）食品情報
【００２１】
食品情報として、食品名、販売価格、量、成分（主成分・添加物・・・）、保存方法、賞味期限、有効期限、生産地または製造メーカ、販売会社、代表的な適用料理、製造メーカおよび販売会社のＵＲＬ、等があります。
（１．６）食品を使用した場合の残量の入力方法
【００２２】
手入力設定と自動設定が考えらます。これも、手入力は現実的でないと思われるかもしれませんが、この場合は違います。というのも、文書作成や作図でワープロやパソコンが爆発的に普及したことを考えてみてください。これは一旦文章なり作図を完了すると、コピーやカットアンドペースト機能によりそこからの訂正、追加や他の文章の作成や作図が簡単に行うことができたからです。
（１．７）手入力設定
【００２３】
食品の量の単位として、ニンジンやピーマンのように数えられるものと牛乳、バターや肉のように容量や重量であらわされるものがありますが、容量や重量で表される食品については「分数設定」と「容量値や重量値設定」する方法があります。
ａ）分数設定
【００２４】
目分量で残った量を使う前の１／２、１／３、というように分数値で設定します。
ｂ）容量値や重量値設定
【００２５】
目分量で残った量を３００ｃｃ、２５０ｍｌ、５００ｇというように容量値や重量値で設定します。
（１．８）自動設定
【００２６】
ホームモニターに接続された電子はかりを使用します。モニタで該食品を選択しておき使用後の食品を直にまたはトレーに載せたまま電子はかりに載せます。計量値が残量として設定されます。
（１．９）食品の選択方法
【００２７】
ホームモニターに表示される「食品リスト」のなかから選んで選択する方法とＩＣタグを利用する方法があります。
（１．１０）ＩＣタグ
【００２８】
将来的には全ての食品に取り付けられることが考えられますが、当面は各家庭で、分割で使用されるような食品に直にまたはその食品を入れる容器に取り付けます。
【００２９】
そしてＩＣタグと食品情報をデーター的に関連付けさせます。
ＩＣタグを取り付けた食品は、ＩＣタグリーダーに食品に取り付けられたＩＣタグを読み取らせることにより、食品が自動選択されます。その後、収納か取出しを選択します。
【実施例２】
【００３０】
（２）所有物管理
家庭内の所有物全てを管理します。箪笥、収納ボックスやクローゼットに収納した所有物の全てが登録され
１）所有物の全てを、所有者別、収納別、ジャンル別で管理されます。
２）衣類は、さらに季節で管理されます。
３）メーカの保証がある家電製品などは、保証期間や故障時の処置方法等が管理されます。
上記に上げた機能は、いずれも便利な機能です、しかし次の課題をクリヤーした場合です。
（２．１）クリヤーすべき課題
【００３１】
１）購入商品のホームモニターへの登録方法
２）所有物の選択方法
（２．２）課題を解決する手段
【００３２】
（２．３）購入商品のホームモニターへの登録方法
【００３３】
購入商品の情報を、タグを見てキーボードまたはその他の入力方法により登録する方法は、現実的ではありません。また購入商品についているタグのバーコードを読み取る方法もありますがこれも現実的ではありません。
それでは如何に簡単に購入商品の情報を入力するか？  ここにこの発明の特徴があります。
（２．４）携帯電話の利用
【００３４】
赤外線通信機能を利用して、精算時にお店のＰＯＳシステムからキャッシュレジスターを介して携帯電話に購入商品の情報が書き込まれます。
（２．５）購入商品情報
【００３５】
購入商品情報として、購入商品名、購入価格、サイズ、素材（主に外観の素材）、保存方法、保証期限、製造番号、製造メーカ、販売会社、製造メーカおよび販売会社のＵＲＬ、等があります。
（２．６）所有物の選択方法
【００３６】
ホームモニターに表示される「所有物リスト」のなかから選ぶ方法と、現物を直接選ぶ方法があります。
（２．７）現物を直接選ぶ方法で選んだ場合の情報との照合方法
【００３７】
その所有物を取り出した収納場所、ジャンル、季節（衣類の場合）をキーとして「所有物リスト」を表示しその中から該当する所有物を選ぶ方法と、ＩＣタグを利用する方法があります。
（２．８）ＩＣタグ
【００３８】
将来的には、購入時点で全ての所有物に取り付けられていることが考えられますが、当面は各家庭で必要に応じて取り付けます。
ａ）そしてＩＣタグと所有物情報をデーター的に関連付けさせます。
１）ホームモニターにジャンル、収納箇所、衣類の場合は季節、購入日をキーとして抽出された該所有物の情報が含まれた「所有物リスト」を表示させます。
２）ＩＣタグを取り付けた該所有物を、ＩＣタグリーダーで読み取らせます。
ｂ）ＩＣタグを取り付けた所有物を、ＩＣタグリーダーで読み取らせば自動選択されます。その後、取出しか収納を選択します。
【実施例３】
【００３９】
（３）家計簿
日、月、年単位で家計簿が作成されます。
１）「食品管理」および「所有物管理」の購入価格（支払い金額）が反映されます。
２）その他、収入（給料）、光熱費、家賃、ガソリン代、学費等の1項で反映されない項目は手入力します。
３）月または年単位でトレンドがグラフで示されます。
【実施例４】
【００４０】
（４）文字入力方式
ホームモニターは、パソコンと同等の機能を持ちますが、入力としてキーボードは適しません。パソコンのキーボードおよびマウスの変わりに赤外線通信機能を持った携帯電話（またはリモートコントローラー）を使用します。ホームモニターは、ＧＵＩを基本操作としますが、住所、氏名、品名等の文字入力が必要な場合、予め携帯電話（またはリモートコントローラー）にてメールを書き込む要領で文字入力し、その後一括送信をします。
【００４１】
（５）ホームモニターの他の用途
ホーム電化の情報処理表示システムとしてセキュリティーシステムやエネルギー管理システムやコミニュケーションシステム（テレビ電話等）としての用途が考えられます。
【産業上の利用可能性】
【００４２】
小規模な店や倉庫の在庫管理システムとしての利用が考えられます。
【図面の簡単な説明】
【００４３】
【図１】食品と所有物を管理する情報処理方式の実施形態
【図２】携帯電話に購入商品情報書き込みの実施形態
【符号の説明】
【００４４】
１．情報処理表示器
２．赤外線通信機能付き携帯電話
３．ＩＣタグリーダー
４．電子ハカリ
５．リモートコントロール
６．ネットワーク接続線
７．ＰＯＳシステムを構成するキャッシュレジスター
【図１】
2005202457.tif 000003
【図２】
2005202457.tif 000004